(57)【特許請求の範囲】
【請求項１】
光ディスクにレーザ光を照射し、前記光ディスクに設定されている情報エリアを読み出す情報読み出し工程と、
前記光ディスクに設定されている描画エリアにおける反射防止加工の有無の判別を行う判別工程と、
前記反射防止加工が施されている描画エリアに、変色層が変色する照射量のレーザ光を照射して画像を形成する画像形成工程と、
を行うレーザ光照射手段と、
前記判別工程において、前記描画エリアに反射防止加工が施されていることが記録され、かつ前記反射防止加工が施されている描画エリアに画像形成を行う場合には、その反射防止加工に関する情報に基づいて、レーザ光の照射量を補正する補正手段と、
を備えた光ディスク画像形成装置。
【請求項２】
前記レーザ光照射手段は、前記画像形成工程を行う前に、前記光ディスクに設定された、前記反射防止加工が施されていないエリアにレーザ光を照射して、レーザ光の照射量の基準値を決定する請求項１に記載の光ディスク画像形成装置。
【請求項３】
前記反射防止加工に応じたレーザ光の照射量の補正パラメータを記憶する記憶手段を備え、
前記補正手段は、レーザ光の照射量を補正する際に、さらに、前記記憶手段から読み出した補正パラメータを用いる請求項１または２に記載の光ディスク画像形成装置。
【発明の詳細な説明】
【技術分野】
【０００１】
本発明は、反射防止加工が施された光ディスクの描画面に文字や写真などの画像を形成する光ディスク画像形成装置に関する。
【背景技術】
【０００２】
従来、ＣＤ−ＲやＤＶＤ−Ｒ等のデータを記録可能な記録型光ディスクのデータ記録面やレーベル面に、文字や写真などの画像を形成する画像形成装置や、それに適した光ディスクに関する発明が提案されている（例えば、特許文献１，２参照。）。この技術は、光ディスクのデータ記録層（色素層）にレーザ光を照射してデータを記録した部分と、データを記録していない部分と、では色が異なるという現象を応用したものである。この技術を用いることで、光ディスクのデータ記録面や、光ディスクのレーベル面側に色素層を形成した光ディスクのレーベル面に、画像を形成することができる。
【０００３】
しかし、光ディスクは平滑な透明基板により構成されているので、不要な反射光によって、光ディスクに形成した画像の視認性が悪くなるという問題があった。データ記録面やレーベル面にトラック溝が形成されていると、光の干渉によりその面が虹色に見えたり放射状の線が複数見えたりして、画像の視認性が悪くなる。また、レーベル面にトラック溝が形成されていないと、その面に鏡のように顔や背景が映り込むので、やはり画像の視認性が悪くなる。
【０００４】
そこで、従来、光ディスクのディスク基板に微細な凹凸パターンを形成した反射防止層を備えた光ディスクに関する発明が開示されている（例えば、特許文献３参照。）。また、光ディスクのディスク基板に微細な凹凸パターンを効率良く形成することができる樹脂組成物に関する発明が開示されている（例えば、特許文献４，５参照。）。さらに、光ディスク基板の表面に反射防止膜をコーティングされた光ディスクに関する発明が開示されている（例えば、特許文献６参照。）。
【特許文献１】特開２００２−２０３３２１公報
【特許文献２】特開２００４−０３９０２７公報
【特許文献３】特開２００４−０２２１５７公報
【特許文献４】特開２００５−０９２０９９公報
【特許文献５】特開２００５−０９７３７１公報
【特許文献６】特開２００１−１４３３２７公報
【発明の開示】
【発明が解決しようとする課題】
【０００５】
上記のように、光ディスクに反射防止層を設けたり反射防止膜をコーティングしたりすることで、画像を形成する面の反射率が低くなるので、光の干渉によりその面が虹色に見えたりその面に顔や背景が映り込んだりすることがなくなり、画像の視認性を向上させることができる。しかしながら、光ディスクに画像を形成する際には、レーザ光を、この反射防止層や反射防止膜を通過させなければならずレーザ光が減衰する。そのため、従来の光ディスク画像形成装置により、反射防止加工が施されていない通常の光ディスクに画像を形成する場合と同じレーザパワーで画像を形成すると、濃淡がはっきりした視認性の良い画像をレーベル面に形成することができないという問題があった。
【０００６】
そこで、本発明は、上記の問題点を解決して、反射防止加工が施された光ディスクに濃淡がはっきりした視認性の良い画像を形成する光ディスク画像形成装置を提供することを目的とする。
【課題を解決するための手段】
【０００７】
この発明は、上記の課題を解決するための手段として、以下の構成を備えている。
【０００８】
（１）光ディスクにレーザ光を照射し、前記光ディスクに設定されている情報エリアを読み出す情報読み出し工程と、
前記光ディスクに設定されている描画エリアにおける反射防止加工の有無の判別を行う判別工程と、
前記反射防止加工が施されている描画エリアに、変色層が変色する照射量のレーザ光を照射して画像を形成する画像形成工程と、
を行うレーザ光照射手段と、
前記判別工程において、前記描画エリアに反射防止加工が施されていることが記録され、かつ前記反射防止加工が施されている描画エリアに画像形成を行う場合には、その反射防止加工に関する情報に基づいて、レーザ光の照射量を補正する補正手段と、
を備えたことを特徴とする。
【０００９】
光ディスクに反射防止加工が施されていると、その部分の反射率が低くなるので、光の干渉により虹色に見えたり顔や背景が映り込んだりすることはなくなるが、画像を形成するためにレーザ光を照射するとレーザ光の減衰率が異なるので、反射防止加工が施されていない部分に画像を形成する場合とは異なるレーザパワーやフォーカスゲインに設定しないと、フォーカスが不安定な状態になり安定したレーザ照射による記録が行えず、濃淡がはっきりした視認性の良い画像を形成することができない。この構成においては、光ディスク画像形成装置は、光ディスクに画像を形成する場合、その光ディスクの情報エリアに記載された情報を読み出す。そして、画像を形成する光ディスクの描画エリアに反射防止加工が施されていることが記録されていると、情報エリアに記載された反射防止加工に関する情報などの描画エリアに関する情報に基づいてレーザ光の照射量を補正する。したがって、光ディスク画像形成装置は、光の干渉により虹色に見えたり顔や背景が映り込んだりすることがない反射防止加工を施された光ディスクの描画エリアに、濃淡がはっきりした視認性の良い画像を形成することができる。
【００１０】
（２）前記レーザ光照射手段は、前記画像形成工程を行う前に、前記光ディスクに設定された、前記反射防止加工が施されていないサーボ調整エリアまたは情報エリアにレーザ光を照射して、レーザ光の照射量の基準値を決定することを特徴とする。
【００１１】
反射防止加工を行った描画エリアにおいてレーザ光の照射量を調整すると、光ディスクからの戻り光レベルが細かく変動して、適切なレーザ光の照射量を決定することができない可能性がある。この構成においては、光ディスクに画像形成する際には、反射防止加工を施されていないエリアにおいてレーザ光の照射量の基準値を決定し、情報エリアに記録された光ディスクの反射防止加工の内容などの描画エリアに関する情報に基づいてこれらの値を補正する。したがって、製造時期やロットの違い等によって光ディスクの状態にばらつきがあったとしても、その光ディスクに最適なレーザ光の照射量を設定することができる。
【００１２】
（３）前前記反射防止加工に応じたレーザ光の照射量の補正パラメータを記憶する記憶手段を備え、
前記補正手段は、レーザ光の照射量を補正する際に、さらに、前記記憶手段から読み出した補正パラメータを用いることを特徴とする。
【００１３】
この構成においては、光ディスク画像形成装置は、光ディスクの情報エリアに記録された反射防止加工の内容に対応するレーザ光の照射量の補正パラメータを記憶手段から読み出し、この補正パラメータを用いてレーザ光の照射量を補正する。これにより、光ディスク画像形成装置は、光ディスクの描画エリアに施されている反射防止加工に適したレーザパワーやフォーカスゲインを設定することができる。したがって、濃淡がはっきりした視認性の良い画像を光ディスクの描画エリアに形成することができる。
【発明の効果】
【００１４】
本発明の光ディスク画像形成装置は、画像を形成する光ディスクのレーベル面に設けた反射防止加工に応じて、レーザ光の照射量を変更するので、濃淡がはっきりした視認性の良好な画像を光ディスクに形成することができる。
【００１５】
また、反射防止加工を行った画像形成エリアにおいてレーザ光の照射量を調整すると、光ディスクからの戻り光レベルが細かく変動して、所望の画像を形成できない可能性があるが、本発明では、光ディスクに画像形成する際には、反射防止加工を施していないエリアにおいてレーザ光の照射量を調整し、情報エリアに記録された光ディスクの反射防止加工の内容に応じてこれらの値を補正するので、その光ディスクに最適なレーザ光の照射量で画像を形成することができる。
【発明を実施するための最良の形態】
【００１６】
本発明の実施形態に係る光ディスク画像形成装置は、一般的な光ディスク記録再生装置が有する光ディスクへの情報記録機能、光ディスクの記録情報読み出し機能に加えて、光ディスクに画像を形成する画像形成機能、さらには反射防止加工を施した光ディスクに画像を形成する機能を備えている。
【００１７】
まず、光ディスク画像形成装置の構成を説明する。なお、光ディスクのデータ記録面に情報を記録する機能、及び光ディスクのデータ記録面に記録した情報を読み出す機能は、周知技術であるため詳細な説明を省略する。また、以下の説明では、一例としてＤＶＤ−Ｒのレーベル面側に変色層を設けた光ディスクに画像を形成する場合について説明するが、本発明はこれに限るものではなく、他の種類の記録型光ディスクにも画像を形成できる。また、データ記録面の中間から外周側にかけて反射防止加工を施した光ディスクに対して、反射防止加工を施した部分に画像を形成することも可能である。
【００１８】
＜光ディスク画像形成装置の構成＞
図１は、本発明の実施形態に係る光ディスク画像形成装置の概略構成を示すブロック図である。図１に示すように、光ディスク画像形成装置１０は、光ピックアップ１００、スピンドルモータ１３０、回転検出器１３２、ＲＦ（Radio Frequency)アンプ１３４、デコーダ１３６、サーボ回路１３８、ステッピングモータ１４０、モータドライバ１４２、インタフェース１５０、バッファメモリ１５２、エンコーダ１５４、ストラテジ回路１５６、フレームメモリ１５８、データ変換器１６０、レーザパワー自動制御（Automatic_Laser Power Control:ＡＬＰＣ）回路１６２、レーザドライバ１６４、及び制御部１７０を備えている。また、光ディスク画像形成装置１０は、インタフェース１５０を介してホストコンピュータ３００に接続されている。
【００１９】
また、以下の説明では、光ディスク画像形成装置１０は、ＣＡＶ（Constant Angular Velocity)方式で光ディスク２００に対して情報の記録や画像の形成を行うものとする。もちろん、本発明は、ＣＬＶ（Constant Linear Velocity）方式やＺＣＬＶ（Zone Constant Linear Velocity ）などの他の方式を適用することも可能である。
【００２０】
また、光ディスク画像形成装置１０は、ＤＶＤ系及びＣＤ系の再生専用型・追記型・書換型の各種の光ディスクに対して、データの記録（再生専用型を除く。）・再生や、画像形成を行うことができる。
【００２１】
スピンドルモータ１３０は、図外の保持機構で保持した光ディスク２００を回転させる。
【００２２】
回転検出器１３２は、スピンドルモータ１３０の回転速度に応じた周波数の信号ＦＧを出力する。
【００２３】
光ピックアップ１００は、図外のレーザダイオード、対物レンズなどの複数のレンズ、トラッキングサーボ機構、フォーカスサーボ機構などを備えており、回転中の光ディスク２００に対して、レンズで集光させたレーザ光を照射する。
【００２４】
ステッピングモータ１４０は、その回転によって光ピックアップ１００を、光ディスク２００の半径方向に移動させる。
【００２５】
モータドライバ１４２は、制御部１７０から指示された方向及び移動量だけ光ピックアップ１００を移動させる駆動信号を、ステッピングモータ１４０へ出力して、スレッド制御を行う。
【００２６】
ＲＦアンプ１３４は、光ピックアップ１００から出力された受光信号Ｒｖを増幅して、増幅後の信号をデコーダ１３６及びサーボ回路１３８へ出力する。
【００２７】
デコーダ１３６は、光ディスク２００の記録面を再生して、光ディスク２００に記録された情報を読み出す場合には、光ピックアップ１００から出力される受光信号Ｒｖは、８／１６変調されているので、これを復調して制御部１７０へ出力する。
【００２８】
サーボ回路１３８は、信号ＦＧによって検出されるスピンドルモータ１３０の回転速度が、制御部１７０から指示された角速度となるようにフィードバック制御（回転制御）を行う。また、サーボ回路１３８は、上記の回転制御に加えて、光ピックアップ１００に対するトラッキング制御（トラッキングサーボ）及びフォーカス制御（フォーカスサーボ）を行う。
【００２９】
制御部１７０は、詳細な構成についてＲＯＭ１７１のみ図示しているが、他にＣＰＵ・ＲＡＭなどを備えた構成であり、ＲＯＭ１７１に格納されたプログラムに従って不図示のＣＰＵが各部を操作して、光ディスク２００の記録面に対する情報記録や、光ディスク２００のレーベル面や記録面に対する画像形成を行う。また、後述するように、光ディスク２００に対して画像を形成する際に、ＲＯＭ１７１に格納された補正パラメータに基づいてサーボ回路１３８やＡＬＰＣ回路１６２へ信号を出力して、レーザパワーまたはフォーカスゲインを補正する。
【００３０】
インタフェース（Ｉ／Ｆ）１５０は、ホストコンピュータ３００から供給される制御信号や情報を光ディスク画像形成装置１０が受け取るためのインタフェースである。
【００３１】
バッファメモリ１５２は、ホストコンピュータ３００からインタフェース１５０を介して、光ディスク２００の記録面に記録すべき情報（以下、記録データと称する。）が供給されると、この記録データをＦＩＦＯ（先入れ先出し）形式で記憶する。
【００３２】
エンコーダ１５４は、バッファメモリ１５２から読み出された記録データを８／１６変調し、ストラテジ回路１５６に出力する。
【００３３】
ストラテジ回路１５６は、エンコーダ１５４から供給された８／１６変調信号に対して時間軸補正処理などを施して、レーザドライバ１６４へ出力する。
【００３４】
フレームメモリ１５８は、ホストコンピュータ３００からインタフェース１５０を介して、光ディスク２００に形成する画像の情報（以下、画像データと称する。）が供給されると、この画像データを蓄積する。この画像データは、円盤状の光ディスク２００に描画する画像の各画素の濃度を規定する階調データの集合である。
【００３５】
データ変換器１６０は、光ディスク２００に画像を形成する際に、フレームメモリ１５８から読み出した階調データ、及び制御部１７０から指示された周回数に応じて、レーザ光の強度を、レーザ光を照射すると変色層２０４が十分に変色する強度であるライトレベル、または、レーザ光を照射しても変色層２０４が変色しない強度であるサーボレベルを指示する信号に変換してレーザドライバ１６４へ出力する。
【００３６】
ＡＬＰＣ回路１６２は、図外のレーザダイオードから照射されるレーザ光の強度を制御するためのものである。具体的には、ＡＬＰＣ回路１６２は、図外のフロントモニターダイオードによって検出された図外のレーザダイオードの出射光量値が制御部１７０によって供給される最適レーザパワーの目標値と一致するように、駆動信号Ｌｉの電流値を制御する。
【００３７】
レーザドライバ１６４は、情報記録時には、ストラテジ回路１５６から供給される変調データに従ってＡＬＰＣ回路１６２による制御内容を反映させた駆動信号Ｌｉを生成して、光ピックアップ１００のレーザダイオードに供給する。また、画像形成時には、データ変換器１６０によって変換されたデータに従って、ＡＬＰＣ回路１６２による制御内容を反映させた駆動信号Ｌｉを生成して、光ピックアップ１００のレーザダイオードに供給する。これにより、レーザダイオードによるレーザビームの強度は、制御部１７０から供給される目標値と一致するようにフィードバック制御される。
【００３８】
＜光ディスクの構成＞
図２は、画像形成可能な光ディスクのレーベル面の正面概略図及びＡ−Ａ’断面図である。光ディスク２００は、図２に示すように、２枚の基材２００Ｋと２００Ｒを貼り合わせた構成のＤＶＤ−Ｒであり、レーベル面側の基材２００Ｒは、レーベル面側から順に、保護層（ポリカーボネート基板）２０１、情報記録層２０２及び反射防止層２０３、変色層（色素層）２０４、反射層２０５、並びに接着層２０６を順に積層した構造である。また、光ディスク２００は、その中心に設けられたセンタホール２１０の周囲にクランプエリア２１１が設けられ、さらにその周囲に内周側から順に、情報エリア２１２、サーボ調整エリア２１３、描画エリア２１４が形成されている。
【００３９】
なお、記録面側の基材２００Ｋの層構成は、ＤＶＤ−Ｒの周知の構成であるため、図示を省略している。また、図２に示した光ディスク２００の構造は模式的なものであり、各層、各エリアの寸法比は必ずしも図示した通りではない。
【００４０】
保護層２０１は、ポリカーボネートなどの透明の材料から成り、レーザ光が透過する。
【００４１】
情報記録層２０２は、複数のピットから成るトラックをポリカーボネート基板上に形成した層であり、レーベル面についての情報が記録されている。具体的には、製造メーカを示すコード情報、変色層２０４に使用されている色素名、描画エリア２１４における反射防止加工の有無、反射防止加工の種類、反射防止加工の詳細情報（マット処理の形状やコーティング材の材質等）、描画エリア２１４の開始位置及び終了位置の情報、サーボ調整エリアの有無、並びにサーボ調整エリアの開始位置及び終了位置の情報等の情報が記録されている。また、光ディスク２００はＤＶＤ−Ｒであるが、別の光ディスク装置が情報記録層２０２の情報を読み出して誤動作するのを防止するために、情報記録層２０２には、ＣＤ−ＲＯＭと同様に、複数のピットによりトラックが形成され、このトラックにＣＤのサブコーディングのフォーマットを用いて情報が記録されている。また、サブコーディングに用いる情報内容とは異なる情報（レーベル面に関する情報）を記録している。したがって、光ディスク画像形成装置１０以外の光ディスク装置では、情報エリア２１２に記録されている情報を読み出すことができない。
【００４２】
反射防止層２０３は、光ディスク２００のレーベル面における光の反射を防止する反射防止加工をポリカーボネート基板上に施した層である。反射防止加工としては、ポリカーボネート基板上に微細な凹凸を形成する加工や、ポリカーボネート基板上に反射防止材をコーティングする加工などがある。また、微細な凹凸の形状を変えたり、反射防止材の材質を変えることで、光の反射率が変化する。反射防止加工には、例えば特許文献３や特許文献６に開示された技術を適用することが可能である。
【００４３】
変色層２０４は、濃淡のはっきりした鮮やかな画像が形成できるように、基材２００Ｋに設けられた図外の記録層とは異なる有機色素から成り、データ記録面の不図示の記録層に用いる色素よりも弱いパワーのレーザ光で変色し、その反射率の変化の程度が大きい。
【００４４】
反射層２０５は、アルミなどの金属から成り、レーザ光を反射する。
【００４５】
接着層２０６は、レーベル面側の基材２００Ｒとデータ記録面側の基材２００Ｋとを接着する層である。
【００４６】
情報エリア２１２は、その全域に情報記録層２０２を含み、前記のように光ディスク２００のレーベル面に形成した描画エリア２１４における反射防止加工の有無、反射防止加工の種類、光ディスク２００の変色層に用いた色素の種類などの情報が記録されている。なお、光ディスク２００の基材２００Ｒにおいて、トラックが形成されているのは情報エリア２１２のみであり、他のエリアにはトラックは形成されていない。また、光ディスク２００はＤＶＤ−Ｒであるが、情報記録層２０２に形成されているトラックには、ＣＤに使用するサイズでピットが形成され、また、ＣＤに使用するデータフォーマットでデータ（情報）が記録されている。したがって、情報エリア２１２に記録されている情報は、通常の光ディスク装置では読み出すことができないようになっている。
【００４７】
サーボ調整エリア２１３は、光ディスク画像形成装置１０が描画エリア２１４に画像を形成する際に、変色層が変化しないレーザパワーのレーザ光を照射し、その戻り光量を測定することで、レーザパワー及びフォーカスゲインの調整を行うための領域である。なお、サーボ調整エリア２１３は、必ずしも設けなくても良く、例えば、描画エリア２１４の領域を少しでも広くしたい場合などには、サーボ調整エリア２１３を設けなくても良い。この場合には、レーザパワー及びフォーカスゲインの調整を、情報エリア２１２で行うようにすると良い。
【００４８】
描画エリア２１４は、その全域または一部に反射防止層２０３を含み、光ディスク画像形成装置１０が画像を形成する領域である。
【００４９】
なお、図２には、保護層２０１と変色層２０４の間に反射防止層２０３を設けた例を示したが、これに代えて、保護層２０１の表面に反射防止層２０３を設けることも可能である。この場合、反射防止層２０３を保護層２０１と変色層２０４の間に設けた場合とは、変色層に照射するレーザ光のパワーや変色層に照射したレーザ光の戻り光の光量が異なる。
【００５０】
＜レーザパワー及びフォーカスゲインの補正＞
光ディスク画像形成装置１０には、反射防止加工が施されたレーベル面やデータ記録面に濃淡がはっきりした視認性の良い画像を形成するために、前記のように制御部１７０のＲＯＭ１７１に、光ディスクの描画エリアに施された反射防止加工に応じてレーザパワー及びフォーカスゲインを補正するための補正パラメータが予め複数格納されている。
【００５１】
図３は、レーザパワー及びフォーカスゲインを補正するための補正パラメータの調整値のテーブルである。図３には、ＲＯＭ１７１に格納される補正パラメータの一例を示している。
【００５２】
光ディスクに画像を形成するために変色層に照射したレーザ光の戻り光の光量は、レーベル面に形成した描画エリア２１４に反射防止加工が施されている場合と、反射防止加工が施されていない場合と、で異なる。また、上記のレーザパワーや戻り光量は、反射防止加工を施す反射防止層２０３を保護層２０１と変色層２０４の間に設けた場合と、保護層２０１の表面に設けた場合と、で異なる。さらに、上記のレーザパワーや戻り光量は、反射防止加工として、反射防止層２０３に微細な凹凸を形成する加工（以下、マット処理と称する。）を行った場合と、反射防止層２０３に反射防止材をコーティングした場合と、でも異なる。加えて、上記のレーザパワーや戻り光量は、マット処理において形成する凹凸の形状や、反射防止材の材質によっても異なる。また、同じ反射防止加工を行った場合でも、変色層に使用する色素の種類が異なると、上記のレーザパワーや戻り光量は異なる。
【００５３】
そこで、本発明の光ディスク画像形成装置１０では、反射防止加工の内容や変色層に使用される色素に応じて、レーザパワーやフォーカスゲインの補正するための補正パラメータを格納したテーブルをＲＯＭ１７１に記憶させている。
【００５４】
このテーブルに格納している補正パラメータは、光ディスク画像形成装置１０により濃淡がはっきりした視認性の最も良い画像を形成できるように、レーザパワーの値やフォーカスゲインのデータを、光ディスク画像形成装置１０のメーカが実験により予め求めて、これらのデータに基づいて算出されたものである。
【００５５】
光ディスク画像形成装置１０の制御部１７０は、光ディスクに画像を形成する際には、光ディスク２００の情報エリア２１２に記録された光ディスク２００のレーベル面に形成した描画エリア２１４における反射防止加工の有無、反射防止加工の種類、光ディスク２００の変色層に用いた色素の種類などの各種情報を読み出す。そして、これらの情報に基づいてＲＯＭ１７１に格納されたテーブルから、その光ディスク２００に応じたレーザパワーの補正パラメータやフォーカスゲインの補正パラメータを読み出す。そして、光ディスク画像形成装置１０は、これらの値に基づいて、レーザパワーの値やフォーカスゲインの値を補正する。具体的には、制御部１７０は、一例として、次に説明するように、サーボ調整エリア２１３等で調整したレーザパワーまたはフォーカスゲインと、補正パラメータと、の積を算出して、この値に補正する。
【００５６】
また、周知のように光ディスクの状態は、ロットによって、また同じロットでも製造した時期によりばらつきが生じる。そこで、本発明の光ディスク画像形成装置１０は、レーザパワーの値やフォーカスゲインの値を補正する前に、このばらつきを抑制する処理を行う。すなわち、光ディスク画像形成装置１０は、レーザパワーの値やフォーカスゲインの値を補正する前に、光ピックアップ１００をサーボ調整エリア２１３に対向する位置に移動させるか、またはサーボ調整エリア２１３が設けられていない場合には情報エリア２１２において、レーザ光を照射して、光ディスクの戻り光量を確認する。そして、この戻り光量の値に基づいて、その光ディスクに応じた基準のレーザパワー及び基準のフォーカスゲインを決定する。
【００５７】
ここで、反射防止加工を行った描画エリア２１４においてレーザパワーやフォーカスゲインを調整すると、光ディスクからの戻り光レベルが細かく変動して、特にフォーカスゲインの微調整に少なからず影響を受けて、適切なフォーカスゲインを決定することができない可能性がある。そこで、本発明では、光ディスクに画像形成する際には、反射防止加工を施していない情報エリア２１２やサーボ調整エリア２１３において、その光ディスクに応じたレーザパワーやフォーカスゲインの基準の値を決定し、情報エリア２１２に記録された光ディスクの反射防止加工の内容に応じて、その光ディスクに応じて決定した基準のレーザパワーの値、または基準のフォーカスゲインの値の少なくとも一方を補正する。これにより、その光ディスクに最適なレーザパワーやフォーカスゲインで、描画エリア２１４に画像を形成することができる。
【００５８】
図４は、反射防止加工が施されている光ディスクのレーベル面を示す図である。このように、本発明の光ディスク画像形成装置１０は、光ディスク毎のばらつきを補正し、さらに、光ディスクに施された反射防止加工の内容に応じて適正なレーザパワー及びフォーカスゲインを設定する。これにより、その光ディスクにおいて最も視認性の良い画像を形成することができる。したがって、本発明の実施形態に係る光ディスク画像形成装置では、図４に示すように、虹色の光が見えたり顔や背景が映り込むことのない反射防止加工が施された光ディスクに、最も視認性の良い画像を形成することができる。
【００５９】
＜光ディスク画像形成装置の画像形成動作＞
次に、光ディスク画像形成装置１０の画像形成動作について、フローチャートに基づいて説明する。図５は、光ディスク画像形成装置の画像形成動作を説明するためのフローチャートである。ここで、光ディスク画像形成装置１０は、周知の画像形成方法で、光ディスク２００のレーベル面に画像を形成する。また、一例としてＤＶＤ−Ｒのレーベル面側に変色層を設けた光ディスクに画像を形成する場合について説明する。
【００６０】
光ディスク画像形成装置１０の制御部１７０は、サーボ回路１３８に制御信号を出力して、スピンドルモータ１３０に光ディスク２００を角速度一定で回転させるとともに、ＡＬＰＣ回路１６２に制御信号を出力して、光ピックアップ１００から光ディスク２００へ６５０ｎｍのレーザ光及び７８０ｎｍのレーザ光を照射させる（ｓ１）。そして、光ディスク２００の層構造がＤＶＤであるか否かを確認する（ｓ２）。制御部１７０は、光ディスク２００がＤＶＤの層構造を有していない場合には、ＣＤ系の光ディスクに対する処理を行う（ｓ３）。
【００６１】
一方、制御部１７０は、光ディスク２００がＤＶＤの層構造を有している場合には、モータドライバ１４２に制御信号を出力して、ステッピングモータ１４０により光ピックアップ１００を情報エリア２１２に対向する位置に移動させる。そして、制御部１７０は、ＡＬＰＣ回路１６２に制御信号を出力して、光ピックアップ１００の図外のレーザダイオードから６５０ｎｍのレーザ光を照射させて、情報エリア２１２に記録された情報を読み出して、記録フォーマットを確認する（ｓ４）。制御部１７０は、情報エリア２１２に記録されたデータがＤＶＤフォーマットで記録されている場合には（ｓ５）、ＤＶＤ系の光ディスクに対する処理を行う（ｓ６）。また、制御部１７０は、情報エリア２１２に記録された情報がＣＤフォーマットでもない場合や、情報エリア２１２にデータが記録されていない場合には（ｓ７）、光ディスク画像形成装置１０に対応した画像形成用の光ディスクでないので、処理を終了する。
【００６２】
一方、制御部１７０は、情報エリア２１２に記録されたデータがＣＤフォーマットである場合には（ｓ７）、本発明の光ディスク画像形成装置１０に対応する光ディスクであるので、制御部１７０は、モータドライバ１４２に制御信号を出力して、ステッピングモータ１４０により光ピックアップ１００をサーボ調整エリア２１３に対向する位置に移動させて、その光ディスクに応じたレーザパワー及びフォーカスゲイン（基準レーザパワー及び基準フォーカスゲイン）に調整する（ｓ８）。続いて、制御部１７０は、モータドライバ１４２に制御信号を出力して、ステッピングモータ１４０により光ピックアップ１００を情報エリア２１２に対向する位置に移動させて、情報エリア２１２に記録された情報をデコーダ１３６でデコードして、光ディスク２００のレーベル面に形成した描画エリア２１４における反射防止加工の有無、反射防止加工の種類、光ディスク２００の変色層に用いた色素の種類などの情報を読み出す（ｓ９）。制御部１７０は、描画エリア２１４に反射防止加工が施されており、かつ反射防止加工が施されている領域に画像を形成する場合には（ｓ１０）、ＲＯＭ１７１が記憶するテーブルから反射防止加工の種類、光ディスク２００の変色層に用いた色素の種類などの情報を読み出し、これらの情報に基づいてレーザパワー及びフォーカスゲインの補正パラメータを読み出す。そして、制御部１７０は、補正パラメータに基づいてレーザパワーまたはフォーカスゲインの少なくとも一方を補正する（ｓ１１）。具体的には、制御部１７０は、ステップｓ８で調整したレーザパワーまたはフォーカスゲインと補正パラメータとにより演算を行い、この値に補正する。例えば、制御部１７０は、図３に示したように、光ディスク２００の変色層にオキソノールが使用され、凹凸が四角錐形状のマット処理が施されている場合には、ステップｓ８で調整したレーザパワーを１．１２倍し、ステップｓ８で調整したフォーカスゲインを４．００ｄＢ大きくする。
【００６３】
続いて、制御部１７０は、モータドライバ１４２に制御信号を出力して、ステッピングモータ１４０により光ピックアップ１００を描画エリア２１４の画像形成を開始点に対向する位置に移動させて（ｓ１２）、光ディスクを一定の角速度で回転させながら、光ディスクにレーザ光を照射するとともにフォーカスサーボを行いレーザ光のスポット径を一定に保ちながら、ホストコンピュータ３００から送られてきた画像データに応じた画像を形成する（ｓ１３）。制御部１７０は、ホストコンピュータ３００から送られてきた画像データに応じた画像の形成が完了すると、処理を終了する。
【００６４】
一方、ステップｓ１０において、描画エリア２１４に反射防止加工が施されていない場合や描画エリア２１４の反射防止加工が施されていない領域に画像を形成する場合には、制御部１７０は、レーザパワーやフォーカスゲインをステップｓ８で調整した値のまま変更せずに、モータドライバ１４２に制御信号を出力して、ステップｓ１２、ｓ１３の処理を行う。そして、制御部１７０は、ホストコンピュータ３００から送られてきた画像データに応じた画像の形成が完了すると、処理を終了する。
【００６５】
＜光ディスクの別の構成及び光ディスク画像形成装置の動作＞
光ディスク画像形成装置１０は、図２に基づいて説明した構成の光ディスク２００以外に、以下のような構成の光ディスクにも画像を形成することができる。すなわち、光ディスク画像形成装置１０は、情報エリア２１２（情報記録層２０２）にグルーブ（案内溝）が形成された光ディスク２２１、情報エリア２１２及びサーボ調整エリア２１３にグルーブが形成された光ディスク２２２、及び情報エリア２１２に複数のピットによりトラックが形成され、サーボ調整エリア２１３にグルーブが形成された光ディスク２２３に、画像を形成することができる。なお、光ディスク２２１〜２２３は、図２に示した光ディスク２００とほぼ同様の構成であるため、光ディスク２２１〜２２３の図示を省略する。
【００６６】
光ディスク２２１及び２２２の情報エリア２１２（情報記録層２０２）には、複数のピットから成るトラックに代えて、ＬＰＰ（Land Pre-Pit）方式（ＤＶＤ−Ｒ／ＲＷの場合）やＡＤＩＰ（Address In Pre-Groove ）方式（ＤＶＤ＋Ｒ／ＲＷの場合）で、ＤＶＤ−Ｒ／ＲＷやＤＶＤ＋Ｒ／ＲＷのデータ記録面のようにグルーブが形成されている。そして、それらグルーブにはＤＶＤ−Ｒ／ＲＷやＤＶＤ＋Ｒ／ＲＷと同じアドレス情報が存在し、内容の異なるディスク物理情報（レーベル面に関する情報）が、同じフォーマットで記録されている。また、光ディスク２２２、及び２２３は、サーボ調整エリア２１３に、光ディスク２２１の情報エリア２１２と同様の形式でアドレス情報とレーベル面に関する情報が記録されている。このように、ＤＶＤ−Ｒ／ＲＷやＤＶＤ＋Ｒ／ＲＷのデータ記録面とは異なる情報内容でレーベル面に関する情報が記録されているので、光ディスク画像形成装置１０以外の光ディスク装置では、情報エリア２１２に記録されている情報を読み出しても、その内容を解読することができない。
【００６７】
光ディスク画像形成装置１０は、光ディスク２２１や光ディスク２２２に画像形成を行う場合には、情報エリア２１２にＬＰＰ方式またはＡＤＩＰ方式で記録された情報を読み出して、描画エリア２１４に反射防止加工の有無に応じた画像形成処理を行う。
【００６８】
また、光ディスク画像形成装置１０は、光ディスク２２３に画像形成を行う場合には、光ディスク２００の場合と同様に情報エリア２１２の情報を読み出して、描画エリア２１４に反射防止加工の有無に応じた画像形成処理を行う。
【００６９】
また、光ディスク画像形成装置１０は、光ディスク２００や光ディスク２２１に画像を形成する際には、サーボ調整エリア２１３に変色層２０４が変色しないレーザパワーのレーザ光を照射して、レーザパワーまたはフォーカスゲインの少なくとも一方を調整する。一方、光ディスク画像形成装置１０は、光ディスク２２２，２２３に画像を形成する際には、サーボ調整エリア２１３にトラッキングをかけ、変色層２０４が変色するレーザパワーのレーザ光を照射して、つまりＯＰＣのように試し書きを行って、レーザパワーまたはフォーカスゲインの少なくとも一方を調整することも可能である。このように、試し書きを行ってレーザパワーやフォーカスゲインを調整することで、光ディスクのばらつきにかかわらず、濃淡がはっきりした視認性の良い画像を光ディスクの描画エリアに形成することができる。
【００７０】
また、光ディスクのデータ記録面において、例えば半径方向の中間から外周側にかけて反射防止加工を施した場合には、光ディスクにＬＰＰ方式またはＡＤＩＰ方式でアドレス情報に加えて、その光ディスクにデータ記録面側の記録層に使用している色素名や、反射防止加工の種類、反射防止加工の開始位置・終了位置の情報等を記録しておく。光ディスク画像形成装置１０は、光ディスクのデータ記録面に画像を形成する場合には、これらの情報を読み出して、レーベル面側に画像を形成する場合と同様に各処理を行うことで、光ディスクのデータ記録面の反射防止加工を施した領域に画像を形成することができる。
【００７１】
なお、レーベル面側の描画エリア全体に反射防止加工を施し光ディスクに画像を形成する場合について説明したが、これに限るものではなく、描画エリアの一部に反射防止加工が施された光ディスクにも当然画像を形成することができる。
【図面の簡単な説明】
【００７２】
【図１】本発明の実施形態に係る光ディスク画像形成装置の概略構成を示すブロック図である。
【図２】画像形成可能な光ディスクのレーベル面の正面概略図及び断面図である。
【図３】レーザパワー及びフォーカスゲインを補正するための補正パラメータの調整値のテーブルである。
【図４】反射防止加工が施されている光ディスクのレーベル面を示す図である。
【図５】光ディスク画像形成装置の画像形成動作を説明するためのフローチャートである。
【符号の説明】
【００７３】
１０−光ディスク画像形成装置    １００−光ピックアップ    １３０−スピンドルモータ    １３２−回転検出器    １３４−ＲＦアンプ    １３６−デコーダ    １３８−サーボ回路    １４０−ステッピングモータ    １４２−モータドライバ    １５０−インタフェース    １５２−バッファメモリ    １５４−エンコーダ    １５６−ストラテジ回路    １５８−フレームメモリ    １６０−データ変換器    １６２−ＡＬＰＣ回路（レーザパワー自動制御回路）    １６４−レーザドライバ    １７０−制御部    １７１−ＲＯＭ    ２００，２２１〜２２３−光ディスク    ２００Ｋ，２００Ｒ−基材    ２０１−保護層    ２０２−情報記録層    ２０３−反射防止層    ２０４−変色層    ２０５−反射層    ２０６−接着層    ２１０−センタホール    ２１１−クランプエリア    ２１２−情報エリア    ２１３−サーボ調整エリア    ２１４−描画エリア    ３００−ホストコンピュータ
【図１】
0004454559.tif 000002
【図２】
0004454559.tif 000003
【図３】
0004454559.tif 000004
【図４】
0004454559.tif 000005
【図５】
0004454559.tif 000006